(57)【要約】【課題】放電及び充電電流を監視するための機能と、充電電流を一定値にするための機能と、を共通する一つの回路で実現することにより、装置の実装面積を小さくすることができる技術を提供する。【解決手段】充放電装置は、二次電池と、充電用電源及び負荷に接続可能な入出力端子と、入出力端子と二次電池の正極との間に設けられるトランジスタと、トランジスタと二次電池の正極との間に接続される検出用抵抗と、基準電圧を出力するための基準電圧出力手段と、第１オペアンプと、第１抵抗と、第２抵抗と、第３抵抗と、第４抵抗と、第２オペアンプと、入出力端子と二次電池との間に流れる電流の大きさを制御するための制御電圧を出力する制御電圧出力手段と、を備える。【選択図】図１
2018121423.tif 000002
【特許請求の範囲】
【請求項１】
充放電装置であって、
二次電池と、
外部の充電用電源及び外部の負荷に接続可能な入出力端子と、
前記入出力端子と前記二次電池の正極との間に設けられるトランジスタと、
前記トランジスタと前記二次電池の前記正極との間に接続される検出用抵抗と、
基準電圧を出力するための基準電圧出力手段と、
第１オペアンプと、
第１抵抗と、
第２抵抗と、
第３抵抗と、
第４抵抗と、
第２オペアンプと、
前記入出力端子と前記二次電池との間に流れる電流の大きさを制御するための制御電圧を出力する制御電圧出力手段と、
を備え、
前記第１抵抗は、前記第１オペアンプの第１反転入力端子と、前記検出用抵抗及び前記トランジスタの接続点との間に接続され、
前記第２抵抗は、前記第１反転入力端子及び前記第１抵抗の接続点と、前記第１オペアンプの第１出力端子と、の間に接続され、
前記第３抵抗は、前記第１オペアンプの第１非反転入力端子と、前記検出用抵抗及び前記電池の前記正極の接続点との間に接続され、
前記第４抵抗は、前記第１非反転入力端子及び前記第３抵抗の接続点と、前記基準電圧出力手段との間に接続され、
前記第２オペアンプの第２反転入力端子は、前記第２抵抗及び前記第１出力端子の接続点と接続され、
前記第２オペアンプの第２非反転入力端子は、前記制御電圧出力手段と接続され、
前記第２オペアンプの第２出力端子は、前記トランジスタのゲートに接続される、
充放電装置。
【請求項２】
前記第１出力端子と接続され、前記第１出力端子の出力電圧値を監視することによって前記二次電池の残量を計測する残量計測手段をさらに備える、
請求項１に記載の充放電装置。
【発明の詳細な説明】
【技術分野】
【０００１】
本明細書で開示する充放電装置は、外部の充電用電源から二次電池への充電、及び、二次電池から外部の負荷への放電を行う充放電装置に関する。
【背景技術】
【０００２】
特許文献１には、二次電池を内蔵した携帯型電子機器が開示されている。この携帯型電子機器は、外部電源であるＡＣアダプタから二次電池への充電電流、及び、二次電池から外部の負荷への放電電流を計測するための監視回路と、外部電源であるＡＣアダプタから二次電池への充電電圧及び充電電流を一定値にするための充電制御回路と、が別個に設けられている。
【先行技術文献】
【特許文献】
【０００３】
【特許文献１】特開２００７−３３００９７号公報
【発明の概要】
【発明が解決しようとする課題】
【０００４】
特許文献１の技術によると、携帯型電子機器は、異なる２つの回路である監視回路と充電制御回路とを備えなければならないため、機器の実装面積が大きくなる傾向がある。
【０００５】
本明細書では、放電及び充電電流を監視するための機能と、充電電流を一定値にするための機能と、を共通する一つの回路で実現することにより、装置の実装面積を小さくすることができる技術を提供する。
【課題を解決するための手段】
【０００６】
本明細書で開示する充放電装置は、二次電池と、外部の充電用電源及び外部の負荷に接続可能な入出力端子と、入出力端子と二次電池の正極との間に設けられるトランジスタと、トランジスタと二次電池の正極との間に接続される検出用抵抗と、基準電圧を出力するための基準電圧出力手段と、第１オペアンプと、第１抵抗と、第２抵抗と、第３抵抗と、第４抵抗と、第２オペアンプと、入出力端子と二次電池との間に流れる電流の大きさを制御するための制御電圧を出力する制御電圧出力手段と、を備える。第１抵抗は、第１オペアンプの第１反転入力端子と、検出用抵抗及びトランジスタの接続点との間に接続される。第２抵抗は、第１反転入力端子及び第１抵抗の接続点と、第１オペアンプの第１出力端子と、の間に接続される。第３抵抗は、第１オペアンプの第１非反転入力端子と、検出用抵抗及び電池の正極の接続点との間に接続される。第４抵抗は、第１非反転入力端子及び第３抵抗の接続点と、基準電圧出力手段との間に接続される。第２オペアンプの第２反転入力端子は、第２抵抗及び第１出力端子の接続点と接続される。第２オペアンプの第２非反転入力端子は、制御電圧出力手段と接続される。第２オペアンプの第２出力端子は、トランジスタのゲートに接続される。
【０００７】
上記の充放電装置によると、入出力端子に外部の充電用電源を接続した状態で、制御電圧出力手段に基準電圧より小さい制御電圧を出力させることで、充電用電源から二次電池に、所定の目標電流値で電流を流し、二次電池を充電させることができる。即ち、入出力端子に外部の充電用電源を接続した状態で、制御電圧出力手段が基準電圧より小さい制御電圧を出力すると、第１オペアンプの第１出力端子の出力電圧（即ち第２オペアンプの第２反転入力端子に印加される電圧）は、基準電圧及び制御電圧より小さく、制御電圧に応じた大きさ（即ち、検出用抵抗に流れる電流及び印加される電圧に応じた大きさ）の電圧になる。そして、第２オペアンプの第２出力端子の出力電圧（即ちトランジスタのゲートに印加される電圧）は、比較的小さい正の電圧であって、制御電圧に応じた大きさの電圧になる。この結果、トランジスタには、制御電圧に応じた大きさに制御された電流であって、充電用電源から二次電池に向かう方向の電流が流れる。この電流が、二次電池に供給され、二次電池の充電が行われる。即ち、上記の充放電装置によると、充電電流を一定の大きさに保ちながら、二次電池への充電を行うことができる。また上記の通り、第１オペアンプの第１出力端子の出力電圧は、検出用抵抗に流れる電流及び印加される電圧に応じた大きさである。そのため、上記の充放電装置によると、第１出力端子の出力電圧の値を監視することにより、充電電流の値を監視することもできる。
【０００８】
一方、上記の充電が行われている間に、制御電圧出力手段に基準電圧以上の制御電圧を出力させることで、充電を停止することができる。即ち、制御電圧出力手段が出力する制御電圧が、基準電圧より小さい電圧から基準電圧以上の大きさの電圧に変化すると、第２オペアンプの第２出力端子の出力電圧（即ち、トランジスタのゲートに印加される電圧）が、第２オペアンプによって増幅された大きい正の電圧に向かって変化する。この結果、トランジスタに、充電用電源から二次電池に向かう方向の電流が流れなくなり、充電が停止する。
【０００９】
その後、入出力端子と充電用電源との接続が切断され、かつ、入出力端子に負荷が接続された状態で、制御電圧出力手段に基準電圧より小さい制御電圧を出力させることで、二次電池から負荷への放電が開始される。即ち、入出力端子に外部の負荷が接続された状態で、制御電圧出力手段が基準電圧より小さい制御電圧を出力すると、第２オペアンプの第２出力端子の出力電圧（即ち、トランジスタのゲートに印加される電圧の値）はゼロになる。この結果、トランジスタには、負荷の要求する出力に応じた大きさの電流であって、二次電池から負荷に向かう方向の電流が流れる。即ち、二次電池から負荷への放電が行われる。これに伴い、第１オペアンプの第１出力端子の出力電圧（即ち第２オペアンプの第２反転入力端子に印加される電圧）は、基準電圧及び制御電圧より大きく、負荷の要求電力に応じた大きさ（即ち、検出用抵抗に流れる電流及び印加される電圧に応じた大きさ）の電圧になる。そのため、上記の充放電装置によると、第１オペアンプの出力電圧の値を監視することにより、放電電流の値を監視することもできる。
【００１０】
以上の通り、上記の構成によると、入出力端子に充電用電源を接続して、制御電圧出力手段から基準電圧より小さい制御電圧を出力することで、二次電池への充電を行うことができ、入出力端子に充電用電源を接続しない状態で入出力端子に負荷を接続して、制御電圧出力手段から基準電圧より小さい制御電圧を出力することで、二次電池から負荷への放電を行うことができる。また、充電中に制御電圧出力手段が出力する制御電圧を基準電圧以上に上げることで、充電を停止することもできる。即ち、一つの回路で充電と放電の両方を行うことができる。また、上記の構成によると、第１オペアンプの出力電圧を監視することで、充電電流及び放電電流の値を監視することもできる。さらに、充電時には、充電電流を一定の大きさに保つこともできる。従って、上記の充放電装置によると、放電及び充電電流を監視するための機能と、充電電流を一定値にするための機能と、を共通する一つの回路で実現することができるため、両機能をそれぞれ別個の回路で実現していた従来の構成と比べて、装置の実装面積を小さくすることができる。
【図面の簡単な説明】
【００１１】
【図１】充放電装置の回路図を示す。
【図２】第１オペアンプの出力電圧とセンス抵抗３０を流れる電流の関係を示すグラフを示す。
【図３】充電時のセンス抵抗における電流の変化を表わすグラフを示す。
【発明を実施するための形態】
【００１２】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１３】
（特徴１）第１出力端子と接続され、第１出力端子の出力電圧値を監視することによって二次電池の残量を計測する残量計測手段をさらに備えてもよい。
【００１４】
第１オペアンプの第１出力端子は、検出用抵抗を流れる電流の大きさ（即ち、検出用抵抗において降下した電圧の大きさ）に応じた大きさの電圧を出力する。そのため、この構成によると、残量計測手段が、第１出力端子の出力電圧値を監視することによって、二次電池の残量を計測することで、現時点の電池の残量を適切に計測し得る。
【００１５】
（実施例）
（充放電装置２の構成；図１）
図１に示す充放電装置２は、外部電源４から二次電池１０への充電、及び、二次電池１０から外部の負荷８への放電を行うための装置である。充放電装置２は、例えば、携帯用の情報タグリーダ端末に備えられる充放電装置である。この充放電装置２は、二次電池１０と、入出力端子２０と、センス抵抗３０と、第１抵抗４０と、第２抵抗５０と、第３抵抗６０と、第４抵抗７０と、基準電圧電源８０と、第１トランジスタ９０と、第１ダイオード９２と、第２トランジスタ１００と、第２ダイオード１０２と、トランジスタ間抵抗１１０と、第１オペアンプ２００と、第２オペアンプ３００と、制御電圧出力装置４００と、残量計測装置５００と、を備える。
【００１６】
二次電池１０は、入出力端子２０に接続される負荷８（例えば情報タグリーダ端末の各部）に電力を供給する電源として機能する。本実施例の二次電池１０は、リチウムイオン二次電池である。変形例では、二次電池１０は他の種類の二次電池であってもよい。二次電池１０の正極はセンス抵抗３０に接続され、負極は接地されている。
【００１７】
入出力端子２０は、外部電源４及び負荷８に接続されている端子である。図１に示すように、外部電源４と入出力端子２０の間には、外部電源４と入出力端子２０の間の経路の導通／切断を切り替えるためのスイッチ６が設けられている。
【００１８】
第１トランジスタ９０及び第２トランジスタ１００は、入出力端子２０と二次電池１０の正極との間に設けられている。本実施例では、第１トランジスタ９０及び第２トランジスタ１００はｐチャネル型のＦＥＴである。他の例では、第１トランジスタ９０及び第２トランジスタ１００は他のトランジスタが用いられてもよい。第１トランジスタ９０及び第２トランジスタ１００は、入出力端子２０と二次電池１０の間に、入出力端子２０側から見て第２トランジスタ１００、第１トランジスタ９０、の順に直列に設けられている。第１トランジスタ９０は、ドレインが二次電池１０の正極側に接続され、ソースが第２トランジスタ１００のソースと接続され、ゲートが第２オペアンプ３００の出力端子と接続されている。第２トランジスタは、ドレインが入出力端子２０側に接続され、ソースが第１トランジスタ９０のソースと接続され、ゲートが第２オペアンプ３００の出力端子と接続されている。
【００１９】
第１ダイオード９２は、第１トランジスタ９０と並列に接続されている。第１ダイオード９２のアノードは、二次電池１０の正極側に接続され、カソードは、第２トランジスタ１００のソース側に接続されている。第２ダイオード１０２は、第２トランジスタ１００と並列に接続されている。第２ダイオード１０２のアノードは、入出力端子２０側に接続され、カソードは、第１トランジスタ９０のソース側に接続されている。第１ダイオード９２及び第２ダイオード１０２は、第１トランジスタ９０及び第２トランジスタ１００をオンからオフに切り替えた際の電流の逆流を防止する機能を果たす。
【００２０】
トランジスタ間抵抗１１０は、第１トランジスタ９０のソース及び第２トランジスタ１００のソースの接続点と、第１トランジスタ９０のゲート及び第２オペアンプ３００の出力端子との接続点（即ち第２トランジスタ１００のゲート及び第２オペアンプ３００の出力端子との接続点でもある）と、の間に接続されている。
【００２１】
センス抵抗３０は、第１トランジスタ９０のドレインと二次電池１０の正極との間に接続される。
【００２２】
第１抵抗４０は、第１オペアンプ２００の反転入力端子（−入力端子）と、センス抵抗３０及び第１トランジスタ９０のソースとの接続点との間に接続される。
【００２３】
第２抵抗５０は、第１オペアンプ２００の反転入力端子及び第１抵抗４０の接続点と、第１オペアンプ２００の出力端子と、の間に接続される。
【００２４】
第３抵抗６０は、第１オペアンプ２００の非反転入力端子（＋入力端子）と、センス抵抗３０及び二次電池１０の正極の接続点と、の間に接続されている。本実施例では、第３抵抗６０の抵抗値は第１抵抗４０の抵抗値と同じである。他の例では、第３抵抗６０の抵抗値は第１抵抗４０の抵抗値と異なっていてもよい。
【００２５】
第４抵抗７０は、第１オペアンプ２００の非反転入力端子及び第３抵抗６０の接続点と、基準電圧電源８０と、の間に接続されている。本実施例では、第４抵抗７０の抵抗値は第２抵抗５０の抵抗値と同じである。他の例では、第４抵抗７０の抵抗値は第２抵抗５０の抵抗値と異なっていてもよい。
【００２６】
基準電圧電源８０は、所定の大きさの基準電圧Ｖｒｅｆを出力するための電源装置である。基準電圧電源８０は、詳しく図示しないが、周知のシャントレギュレータである。
【００２７】
第１オペアンプ２００の反転入力端子は、上記の通り、第１抵抗４０及び第２抵抗５０と接続されている。第１オペアンプ２００の非反転入力端子は、上記の通り、第３抵抗６０及び第４抵抗７０と接続されている。第１オペアンプ２００の出力端子は、上記の通り第２抵抗５０と接続されているとともに、第２オペアンプ３００の反転入力端子と接続されている。また、第１オペアンプ２００の出力端子は、残量計測装置５００にも接続されている。
【００２８】
本実施例の充放電装置２では、上述の第１抵抗４０と、第２抵抗５０と、第３抵抗６０と、第４抵抗７０と、第１オペアンプ２００とによって、差動増幅回路が形成されている。そして、センス抵抗３０と、第１抵抗４０と、第２抵抗５０と、第３抵抗６０と、第４抵抗７０と、第１オペアンプ２００とによって、差動増幅回路を用いる電流センス回路が形成されている。
【００２９】
本実施例の充放電装置２では、外部電源４から二次電池１０への充電が行われる際には、センス抵抗３０には、図１の矢印３２の方向の電流Ｉ（以下では充電電流と呼ぶ場合がある）が流れ、二次電池１０から外部の負荷８への放電が行われる際には、センス抵抗３０には、矢印３４の方向の電流Ｉ（以下では放電電流と呼ぶ場合がある）が流れる。電流Ｉの値は、充電電流が流れる場合は負の値で表され、放電電流が流れる場合には正の値で表される（図２参照）。
【００３０】
そして、本実施例の充放電装置２では、第１オペアンプ２００の出力端子から出力される出力電圧Ｖｏｕｔ１は、第１オペアンプ２００のゲインをＧａｉｎと表す場合、以下の式１によって表される。
Ｖｏｕｔ１＝Ｇａｉｎ×Ｉ＋Ｖｒｅｆ・・・（式１）
【００３１】
そして、本実施例の充放電装置２において、センス抵抗３０を流れる電流Ｉと、第１オペアンプ２００の出力電圧Ｖｏｕｔ１との関係は図２のグラフのように表される。
【００３２】
即ち、図２に示すように、センス抵抗３０に電流Ｉが流れていない場合、出力電圧Ｖｏｕｔ１は基準電圧Ｖｒｅｆと同じ値である。この場合、第１オペアンプ２００の反転入力端子に入力される電圧値（即ち、基準電圧Ｖｒｅｆを第１抵抗４０及び第２抵抗５０で分圧した電圧値）と、非反転入力端子に入力される電圧値（即ち、基準電圧Ｖｒｅｆを第３抵抗６０及び第４抵抗７０で分圧した電圧値）が同じである。
【００３３】
また、センス抵抗３０に充電電流（即ち、負の電流Ｉ）が流れる場合、出力電圧Ｖｏｕｔ１は基準電圧Ｖｒｅｆよりも小さい値（図２のＶ１参照）である。この場合、第１オペアンプ２００の反転入力端子に入力される電圧値は、非反転入力端子に入力される電圧値より大きくなる。センス抵抗３０における電圧降下のため、センス抵抗３０のうちの充電電流の流れる方向における上流側（第１トランジスタ９０側）には、下流側（二次電池１０側）に比べて大きい電圧が印加されるためである。
【００３４】
一方、センス抵抗３０に放電電流（即ち、正の電流Ｉ）が流れる場合、出力電圧Ｖｏｕｔ１は基準電圧Ｖｒｅｆよりも大きい値（図２のＶ２参照）である。この場合、第１オペアンプ２００の反転入力端子に入力される電圧値は、非反転入力端子に入力される電圧値より小さくなる。センス抵抗３０における電圧降下（即ち、二次電池１０によって印加される電圧の電圧降下）のため、センス抵抗３０のうちの放電電流の流れる方向における下流側（第１トランジスタ９０側）には、上流側（二次電池１０側）に比べて小さい電圧が印加されるためである。
【００３５】
第２オペアンプ３００は比較器として動作するオペアンプである。第２オペアンプ３００の反転入力端子（−入力端子）は、上記の通り第１オペアンプ２００の出力端子と接続されている（より詳細に言うと、第２抵抗５０及び第１オペアンプ２００の出力端子の接続点と接続されている）。第２オペアンプ３００の非反転入力端子（＋入力端子）は、制御電圧出力装置４００に接続されている。第２オペアンプ３００の出力端子は、上記の通り第１トランジスタ９０のゲート、第２トランジスタ１００のゲート、及び、トランジスタ間抵抗１１０に接続されている。第２オペアンプ３００は、制御電圧出力装置４００が出力する制御電圧の値（即ち非反転入力端子に入力される電圧値）が、第１オペアンプ２００の出力電圧Ｖｏｕｔ１の値よりも大きい場合に、正の電圧値（即ち、第２オペアンプ３００のゲインによって増幅された値）を出力電圧Ｖｏｕｔ２として出力する。
【００３６】
制御電圧出力装置４００は、制御電圧を出力する。制御電圧出力装置４００は、図示しない制御装置を備えており、制御装置からの指示に従って制御電圧の値を変化させることができる。本実施例の充放電装置２では、制御電圧の値を変えることで、電流Ｉの向きを切り替える（即ち、充電と放電を切り替える）ことができるとともに、充電時において二次電池１０に供給される電流Ｉの大きさを所定値に保つ制御を行うことができる。後で説明するように、制御電圧出力装置４００は、充電時には、二次電池１０に供給される電流Ｉ（即ち充電電流）の大きさを所定値に保つために、Ｖｒｅｆより小さい所定値Ｖｃ１の制御電圧を出力し、充電を停止する際には、Ｖｒｅｆより大きい所定値Ｖｃ２の制御電圧を出力し、放電時には、Ｖｒｅｆより小さい所定値Ｖｃ３の制御電圧を出力する。
【００３７】
残量計測装置５００は、第１オペアンプ２００の出力電圧Ｖｏｕｔ１の値を監視し、二次電池１０に蓄えられている電力の残量を計測するための装置である。残量計測装置５００は、出力電圧Ｖｏｕｔ１の値を監視することで、充電と放電のどちらが行われているのか、及び、センス抵抗３０に流れる電流Ｉの値を把握することができる。そのため、残量計測装置５００は、出力電圧Ｖｏｕｔ１の値と出力時間とに基づいて、二次電池１０に蓄えられている電力の残量を計測することができる。
【００３８】
（充放電装置２の動作）
続いて、図１の充放電装置２の動作を説明する。以下では、充放電装置２を用いて二次電池１０への充電を開始し、その後充電を終了し、負荷８への放電を開始する場合の動作を説明する。
【００３９】
（充電開始）
二次電池１０への充電を開始する場合、入出力端子２０に外部電源４を接続した状態（即ち、図１のスイッチ６を導通状態に切り替えた状態）で、制御電圧出力装置４００は、基準電圧Ｖｒｅｆよりも小さい所定値Ｖｃ１の制御電圧を出力する。この時点では、電流Ｉは流れていない（即ち０Ａである）ため、第１オペアンプ２００の出力電圧Ｖｏｕｔ１（即ち、第２オペアンプ３００の反転入力端子への入力電圧）はＶｒｅｆである。この場合、第２オペアンプ３００の出力電圧Ｖｏｕｔ２は０Ｖである。これにより、第１トランジスタ９０のソース−ドレイン間に電圧Ｖｓｄ（即ち外部電源４から出力される電圧）が印加され、ゲートに０Ｖが印加される状態になる。同様に、第２トランジスタ１００のドレイン−ソース間に電圧Ｖｄｓ（即ち外部電源４から出力される電圧）が印加され、ゲートに０Ｖが印加される状態になる。そのため、第１トランジスタ９０及び第２トランジスタ１００がオンされ、第１トランジスタ９０及び第２トランジスタ１００に電流（即ち充電電流）が流れ始める。これにより、外部電源４から、第２トランジスタ１００、第１トランジスタ９０、センス抵抗３０、二次電池１０の順で充電電流が流れ、二次電池１０への充電が開始される。図２及び図３に示すように、センス抵抗３０には負の電流Ｉ（即ち、充電電流）が流れ始める（即ち、所定の負の電流値（この例では−０．５Ａ）に向かって電流値が増加し始める）。
【００４０】
（充電中）
その後、制御電圧出力装置４００は、引き続き制御電圧Ｖｃ１を出力する。センス抵抗３０に負の電流Ｉが流れ始めることにより、第１オペアンプ２００の反転入力端子に入力される電圧値は、非反転入力端子に入力される電圧値より大きくなる。センス抵抗３０における電圧降下のため、センス抵抗３０のうちの充電電流の流れる方向における上流側（第１トランジスタ９０側）には、下流側（二次電池１０側）に比べて大きい電圧が印加されるためである。そのため、第１オペアンプ２００の出力電圧Ｖｏｕｔ１（即ち、第２オペアンプの反転入力端子に入力される電圧値）は、基準電圧Ｖｒｅｆよりも小さい所定の目標値であるＶ１（図２参照）に低下し、Ｖ１で安定する。Ｖ１の値は、この時点の制御電圧Ｖｃ１（即ち、第２オペアンプの非反転入力端子に入力される電圧値）よりわずかに小さくなる。本実施例では、充電時に制御電圧出力装置４００が出力する制御電圧の値Ｖｃ１は、Ｖ１より小さくなる値に設定されている。これにより、第２オペアンプ３００の出力電圧Ｖｏｕｔ２は比較的小さい所定の正の値Ｖｏ１となる。これにより、第１トランジスタ９０及び第２トランジスタ１００に流れる電流は、上記の電流開始時点よりも低くなる（絞られる）。この結果、図２及び図３に示すように、センス抵抗３０を流れる電流Ｉは、所定の目標値である−０．５Ａで安定する。以後、充電が行われている間、充電電流（即ち電流Ｉ）は、−０．５Ａで安定する。この結果、二次電池１０への充電電流は一定値で安定することになる。以後、この状態で二次電池１０への充電が継続される。
【００４１】
（充電終了）
例えば、所定時間の充電が行われた結果、残量計測装置５００が、二次電池１０に十分な電力が蓄えられたことを計測する場合、制御電圧出力装置４００は、出力する制御電圧の値を、Ｖｃ１から、Ｖｒｅｆより大きい所定値Ｖｃ２に変化させる。この結果、第２オペアンプ３００の非反転入力端子に入力される電圧の値（即ちＶｃ２）は、第２オペアンプ３００の反転入力端子に入力される電圧の値（即ちＶ１）よりも大きくなる。そのため、第２オペアンプ３００のゲインによって、第２オペアンプ３００の出力電圧Ｖｏｕｔ２は、非常に大きい値Ｖｏ２に変化する。第２オペアンプ３００の出力電圧Ｖｏｕｔ２がＶｏ２に変化することにより、第１トランジスタ９０及び第２トランジスタ１００がオフされる。この結果、外部電源４から二次電池１０に向かう電流が流れなくなり、充電が停止（終了）する。
【００４２】
（放電開始）
充電の終了後、負荷８への放電を開始する場合、入出力端子２０に外部電源４が接続されていない状態（即ち、図１のスイッチ６を切断状態に切り替えた状態）で、制御電圧出力装置４００は、基準電圧Ｖｒｅｆよりも小さい所定値Ｖｃ３の制御電圧を出力する。この時点では、電流Ｉは流れていない（即ち０Ａである）ため、第１オペアンプ２００の出力電圧Ｖｏｕｔ１（即ち、第２オペアンプ３００の反転入力端子への入力電圧）はＶｒｅｆである。そして、第２オペアンプ３００の出力電圧Ｖｏｕｔ２は０Ｖである。これにより、第１トランジスタ９０のドレイン−ソース間に電圧Ｖｄｓ（即ち二次電池１０から出力される電圧）が印加され、ゲートに０Ｖが印加される状態になる。同様に、第２トランジスタ１００のソース−ドレイン間に電圧Ｖｓｄ（即ち二次電池１０から出力される電圧）が印加され、ゲートに０Ｖが印加される状態になる。そのため、第１トランジスタ９０及び第２トランジスタ１００がオンされ、第１トランジスタ９０及び第２トランジスタ１００に電流（即ち放電電流）が流れ始める。センス抵抗３０にも正の電流Ｉが流れ始める。これにより、二次電池１０から、センス抵抗３０、第１トランジスタ９０、第２トランジスタ１００、負荷８の順で放電電流が流れ、負荷８への放電が開始される。
【００４３】
（放電中）
その後、制御電圧出力装置４００は、引き続き制御電圧Ｖｃ３を出力する。センス抵抗３０に正の電流Ｉが流れ始める（即ち、二次電池１０の電圧がセンス抵抗３０に印加される）ことにより、第１オペアンプ２００の反転入力端子に入力される電圧値は、非反転入力端子に入力される電圧値より小さくなる。センス抵抗３０における電圧降下（即ち、二次電池１０によって印加される電圧の電圧降下）のため、センス抵抗３０のうちの放電電流の流れる方向における下流側（第１トランジスタ９０側）には、上流側（二次電池１０側）に比べて小さい電圧が印加されるためである。そのため、第１オペアンプ２００の出力電圧Ｖｏｕｔ１（即ち、第２オペアンプの反転入力端子に入力される電圧値）は、基準電圧Ｖｒｅｆよりも大きく、負荷８の要求電力に応じた値（即ち、センス抵抗３０に流れる電流Ｉ及び印加される電圧に応じた値）であるＶ２（図２参照）になる。この場合も、第２オペアンプ３００の出力電圧Ｖｏｕｔ２は引き続き０Ｖである。従って、二次電池１０から負荷８に向かって、負荷８の要求電力に応じた大きさの正の電流（図２の例では１Ａ）が継続して流される（放電が継続される）。
【００４４】
（本実施例の作用効果）
以上、本実施例の充放電装置２の構成及び動作を説明した。上記の通り、本実施例の充放電装置２によると、入出力端子２０に外部電源４を接続して、制御電圧出力装置４００から基準電圧Ｖｒｅｆより小さい制御電圧Ｖｃ１を出力することで、二次電池１０への充電を行うことができ、入出力端子２０に外部電源４を接続しない状態で入出力端子２０に負荷８を接続して、制御電圧出力装置４００から基準電圧Ｖｒｅｆより小さい制御電圧Ｖｃ３を出力することで、二次電池１０から負荷８への放電を行うことができる。また、充電中に制御電圧を基準電圧Ｖｒｅｆ以上のＶｃ２に上げることで、充電を停止することもできる。即ち、一つの回路で充電と放電の両方を行うことができる。また、本実施例によると、残量計測装置５００によって第１オペアンプの出力電圧Ｖｏｕｔ１を監視することで、充電電流及び放電電流の値を監視することもできる。また、本実施例の充放電装置２によると、充電時には、充電電流を一定の大きさに保つこともできる。従って、本実施例の充放電装置２によると、放電及び充電電流を監視するための機能と、充電電流を一定値にするための機能と、を共通する一つの回路で実現することができるため、両機能をそれぞれ別個の回路で実現していた従来の構成と比べて、装置の実装面積を小さくすることができる。
【００４５】
また、本実施例の充放電装置２は残量計測装置５００を備える。残量計測装置５００は、第１オペアンプの出力電圧Ｖｏｕｔ１を監視し、出力電圧Ｖｏｕｔ１の値と出力時間とに基づいて、二次電池１０に蓄えられている電力の残量を計測することができる。これにより、二次電池１０の現時点の残量を適切に計測することができる。
【００４６】
本実施例と請求項の対応関係を説明しておく。第１トランジスタ９０及び第２トランジスタ１００が「トランジスタ」の一例である。センス抵抗３０が「検出用抵抗」の一例である。基準電圧電源８０が「基準電圧出力手段」の一例である。制御電圧出力装置４００が「制御電圧出力手段」の一例である。残量計測装置５００が「残量計測手段」の一例である。
【００４７】
以上、本明細書で開示する技術の具体例を説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００４８】
（変形例１）上記の実施例では、充放電装置２には、第１トランジスタ９０及び第２トランジスタ１００の２個のトランジスタが設けられているが、トランジスタは１個のみ備えられていてもよい。
【００４９】
（変形例２）上記の実施例では、充放電装置２には、残量計測装置５００が設けられているが、残量計測装置５００を省略してもよい。
【００５０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５１】
２：充放電装置
４：外部電源
６：スイッチ
８：負荷
１０：二次電池
２０：入出力端子
３０：センス抵抗
４０：第１抵抗
５０：第２抵抗
６０：第３抵抗
７０：第４抵抗
８０：基準電圧電源
９０：第１トランジスタ
９２：第１ダイオード
１００：第２トランジスタ
１０２：第２ダイオード
１１０：トランジスタ間抵抗
２００：第１オペアンプ
３００：第２オペアンプ
４００：制御電圧出力装置
５００：残量計測装置
【図１】
2018121423.tif 000003
【図２】
2018121423.tif 000004
【図３】
2018121423.tif 000005